(57)【特許請求の範囲】
【請求項１】
外部ガラスウォール（２）と内部ガラスウォール（３）との間に、全閉時に内部ガラスウォール（３）と平行になる部分を有する縦型ルーバーユニットのパネル（４）が横方向に並べられて設けられ、
この縦型ルーバーユニットのパネル（４）の幅方向の一方端には回動軸（５）が設けられ、この回動軸（５）はオートヒンジ（６）によってあらかじめ縦型ルーバーユニットのパネル（４）を所定の開角度まで開くように構成され、
この各縦型ルーバーユニットの内部ガラスウォール（３）側には、各縦型ルーバーユニットに当接して縦型ルーバーユニットのパネル（４）の開き角度を規制するための作動車（８）がガラスウォール（２）と平行に横設された横シャフト（９）上に位置調整可能に設けられ、
この横シャフト（９）は横移動自在に構成され、
各縦型ルーバーユニットのパネル（４）を全開位置で停止させるストッパー（７）が設けられており、
縦型ルーバーユニットのパネル（４）が全閉している状態で、縦型ルーバーユニットのパネル（４）での前記平行になる部分と前記作動車（８）との当接位置が、縦型ルーバーユニットごとにずれており、
全開時または全閉時においては各縦型ルーバーユニットのパネル（４）の角度はすべて揃い、開閉途中においては、各縦型ルーバーユニットのパネル（４）は順次ずれて開放または閉鎖の動作が行なわれるように構成されていることを特徴とする縦型ルーバー装置。
【請求項２】
請求項１において、所定数の縦型ルーバーユニットを１ブロックとし、
前記各ブロックにおいては、縦型ルーバーユニットごとに、縦型ルーバーユニットのパネル（４）が全閉している状態で縦型ルーバーユニットのパネル（４）の前記平行になる部分と前記作動車（８）との当接位置がずれていて、全開時または全閉時での各縦型ルーバーユニットのパネル（４）の角度はすべて揃い、開閉途中での各縦型ルーバーユニットのパネル（４）は順次ずれて開放または閉鎖の動作が行なわれるように構成されていることを特徴とする縦型ルーバー装置。
【請求項３】
縦型ルーバーユニットのパネル（４）の横断面が複数角形状または円弧形状をなし、縦型ルーバーユニットのパネル（４）が全閉している状態で、縦型ルーバーユニットのパネル（４）の内部ガラスウォ−ル（３）側の面に、前記内部ガラスウォール（３）と平行となる部分がない縦型ルーバーユニットにおいては、
前記全閉している状態で前記内部ガラスウォール（３）と平行となる部分を有するように構成されていて前記作動車（８）と接触する帯状の補助具（１５）が、縦型ルーバーユニットのパネル（４）に設けられていることを特徴とする請求項１または２記載の縦型ルーバー装置。  
【発明の詳細な説明】
【技術分野】
【０００１】
本発明は縦型ルーバー装置に関する。
【背景技術】
【０００２】
縦型のルーバーを用いる目的としては建物外部からの熱を緩和したり、日射を遮断したり和らげたりして室内に取り込み、室内温度や照度を快適な状態に維持することや内部を隠してプライバシーを守ることや建物を外観から眺めて美しく見せるという外観的装飾などがある。個々の家庭などに設けるのもとしては位置を移動できたりコンパクトに仕舞えたりするもの（特許文献１参照）があり、ビルなどの建物外部に用いる大掛かりなものとしては特許文献２に示すようなものがあり、また、同じくビルなどの建物外部に用いる大掛かりなものとしては等間隔に設置された縦型ルーバーをすべて同じ角度で開閉する特許文献３や特許文献４などがある。
【先行技術文献】
【特許文献】
【０００３】
【特許文献１】特開平０２−２４３８９６号公報
【特許文献２】特開２００８−２６１１９５号公報
【特許文献３】特開２００２−２５０１８４号公報
【特許文献４】特開２００３−２７８４６６号公報
【発明の概要】
【発明が解決しようとする課題】
【０００４】
しかしながらこれらの縦型ルーバーユニットが一枚の平板状のものであって、縦型のルーバーを用いる目的にかなったものであるが外観から眺めると単なる平板あり、美しく見せるという外観的装飾性については配慮がなく問題であった。本発明は掛かる問題点を解決することを目的として提供されたものである。
【課題を解決するための手段】
【０００５】
本発明の縦型ルーバーユニットは一つには外部ガラスウォールと内部ガラスウォールとの間に所定高さを有し、横断面のうち内部ガラスウォール側（以後は裏面側と称する）の少なくとも一部が全閉時に前記ガラスウォールと平行になる部分を有する縦型ルーバーユニットが横方向に並べられて設けられ、この縦型ルーバーユニットの一方端にはこの縦型ルーバーユニット取り付け用の回動軸が設けられ、この回動軸は付勢手段によってあらかじめ縦型ルーバーユニットが所定の開角度まで開くように構成され、この各縦型ルーバーユニットの各裏面側には各縦型ルーバーユニットに当接して開き角度を規制するための作動車がガラスウォールと平行に横設された横シャフト上に、位置調整可能にして設けられ、この横シャフトは横移動用の駆動手段と複数組の横シャフトガイドローラとによって横移動自在に構成され、全閉時において各縦型ルーバーユニットの前記平行になる部分に、開放時、横シャフトの移動方向に対して最も早く開放される側の縦型ルーバーユニットの平行になる部分の端部と当該作動車とが当接する位置を基準位置として、その隣の縦型ルーバーユニットの作動車は前記した基準位置から平行になる部分に沿って順次ずらされて当接するように位置決め設置され、また各縦型ルーバーユニットの全開位置にはストッパーが設けられ、全開時または全閉時においては各縦型ルーバーユニットの角度はすべて揃い、開閉途中においては隣の縦型ルーバーユニットは順次ずれて開放（または閉鎖）動作が行なわれるように構成されていることを特徴とする縦型ルーバー装置である。
【０００６】
また一つは縦型ルーバーユニットが横方向に長く並べられて設けられた際、所定の縦型ルーバーユニット枚数を１ブロックとし、各ブロック最初の縦型ルーバーユニットの平行になる部分の端部と当該作動車とが当接する位置を基準位置として、その隣の縦型ルーバーユニットの作動車は前記した基準位置から平行になる部分に沿って順次ずらされて当接するように位置決め設置されるように構成されてなることを特徴とする縦型ルーバー装置である。
【０００７】
また一つは横断面が複数角形状または円弧形状をなし、全閉時に縦型ルーバーユニットの裏面側の面に平行となる部分がない縦型ルーバーユニットにおいて、全閉時に平行となる部分を有するように構成された帯状の補助具が前記作動車との間に設けられていることを特徴とする縦型ルーバー装置である。
【０００８】
また一つは前記縦型ルーバーユニットの素材が半透明の樹脂素材によって製作されていることを特徴とする縦型ルーバー装置である。
【０００９】
更に一つは内部ガラスウォールの縦枠に、縦長列に照明灯が直接あるいは照明ユニットとして設けられ、夜間にライトアップされて順次開閉されるその模様が映し出されるように構成されてなる縦型ルーバー装置である。
【００１０】
この横シャフトを横移動させる横移動手段は横シャフトに直接設けても良いし、連結具を介して間接的に設けても良く、またその方法は駆動モータを用い、ラックピニオンによる伝動でも、ウォームウォームギヤによる伝動でも、タイミングベルトとプーリによる伝動でも、チェーンとスプロケットによる伝動でもピストンによる伝動でも一向に構わなく確実に横シャフトを横移動出来るものであれば良い。
【００１１】
また、横シャフト上に設けられる作動車は直接取り付けするのではなく一旦ガイド用ブラケットに作動車を設置し、ガイド用ブラケットの取り付け穴を長穴にして調整手段を設けた後横シャフト上に設置することが好ましい。
【発明の効果】
【００１２】
本発明の縦型ルーバー装置はそれぞれの縦型ルーバーユニットの開放角度を任意に設定することが出来、しかも横断面のうち裏面側の少なくとも一部が全閉時に前記ガラスウォールと平行になる部分を有するため徐々に開放角度をずらすことが出来るという効果があり、それぞれの縦型ルーバーユニットの開放角度が徐々に変化されて来て遠くから眺めた場合、濃淡の段階的な色調の推移が全体としてデフォルメを形成して芸術性を帯びるという外観的装飾性があり、それと同時に室内においても照度に同様の濃淡の段階的な色調の推移があって全開から全閉までの間（または全閉から全開までの間）その動きにより色調の推移を楽しむことが出来るというグラデーション効果がある。また照明器具を設けることにより夜間はより効果的な光と影を演出できる。
【図面の簡単な説明】
【００１３】
【図１】実施例１の全閉時における平面図
【図２】実施例１の全開時における平面図
【図３】実施例１の開放途中（または閉鎖途中）における平面図
【図４】実施例１の全体構成を示す側面図
【図５】実施例１のパネル４の横断面図
【図６】実施例１の全閉時における第１番目パネルと最後尾第１３、１４番目パネルの平行な部分と作動車の当接位置を示した平面拡大図
【図７】実施例１の駆動部付近の構成を説明する平面拡大図
【図８】図６と反対側のパネルから動作を開始させるための全閉時における第１番目パネルと最後尾第１３、１４番目パネルの平行な部分と作動車の当接位置を示した平面拡大図
【図９】一般に作動車が１個の場合の説明図
【図１０】横断面が対称形でない非対称のパネルの代表図
【図１１】実施例３のパネル４の横断面における説明図
【図１２】実施例４の全閉時における平面図
【図１３】実施例４の開放途中（または閉鎖途中）における平面図
【図１４】実施例４の図６に対応する平面拡大図
【図１５】実施例４の全体構成を示す側面図
【図１６】実施例２の開放途中（または閉鎖途中）における平面図
【発明を実施するための最良の形態】
【００１４】
本発明の縦型ルーバーユニットのパネル４は夜間の照明をも考慮に入れるため、そのパネル４の材質を半透明のポリカーポネート製のものを用いた。
【実施例１】
【００１５】
本発明実施例１の構成を図に基づいて説明すると実施例１の縦型ルーバー装置１は外部ガラスウォール２と内部ガラスウォール３との間に設けられ、１４スパンを有するガラスウォール内に１４ユニットの半透明ポリカーポネート製縦型ルーバーユニットのパネル４を設けた縦型ルーバー装置１であり、図１は全閉した時のパネル状況を示したもの、図２は全開した時のパネル状況を示したもの、図３は開放（または閉鎖）途中で右端のパネル４の角度が４５度の場合のパネル状況を示したものでその下に表示した数値はそれぞれのパネル４における開放（または閉鎖）角度を示したものである。この開放角度は自由に設定できるもので実施例１の場合は図３の数値になるように設定した。
【００１６】
更に詳しく説明すると、実施例１の縦型ルーバーユニットのパネル４は同じ高さで、図５に示すように横断面が幅方向中心に対し線対称の形状をなし、その両端部と頂上の平行になる部分とがそれぞれＡ、Ｂの長さを有してしかもその部分は全閉時には外部ガラスウォール２と平行な形状を有し、両端部と頂上部との間は２つの角度を持たせてそれぞれが結ばれ全体として台形の傘状を呈しているものであり、パネル４が１スパンの外部ガラスウォール２内に１個づつ並べて設けられ、このパネル４の幅方向一方端にはこのパネル４の回動軸５が設けられ、この回動軸５の下部は開放用オートヒンジ６によってあらかじめパネル４が９０度以上開くように構成されて回動軸５の上部側は軸受け（図示せず）により支えられ、それぞれのパネル４が９０度の位置で全開ストップするように全開ストッパー７が設けられている。図面内に５（６）と記したのは図全体から見るとあまりに細かい部分であるため、この部分は回動軸５であり、また回動軸５が取り付けされた開放用オートヒンジ６でもあるという意味合いである。またこの実施例１の場合は各パネル４は右回転方向に開放されるように構成されている。
【００１７】
図６、図７に示すように、この各縦型ルーバーユニットパネル４の裏面側の下部には各パネル４の開き角度を規制調整するための作動車８ａ、８ｂが外部ガラスウォール２と平行に横設された横シャフト９上にブラケットを介して設けられ、この横シャフト９は横移動用の駆動モータ軸に取り付けされたピニオン１０とラック１１とにより連結板１２を介して連結され、横シャフト９は両横面と下面とが回転ローラによって一体化構成された横シャフト用シャフトガイド１３の複数組によって横移動可能に構成され、この実施例１の場合は第１パネルを最初に動かすため、全閉時において番目第１番目パネル４の裏面側の平行な部分の右端（Ｐ位置）にルーバー用作動車８ａとの当接部が設けられその部分を基準として、隣のパネル４からはその基準位置から平行な部分の方向に向かって順次その当接部をずらして最後の第１４番目パネル４の平行な部分の左端（Ｑ位置）に作動車８ｂが当接するように順次ずらしながら所定の開放角度を保ってすべてのパネル４が全開位置まで到達するように構成されたものである。
【００１８】
横シャフト９は右端の第１４番目パネル４が右端の第１４番目の全開ストッパー７に当接するまで移動し、全開検知センサ（図示せず）に検知されて初めて移動を停止する。この全開および全閉検知センサ（図示せず）は、いま駆動装置のラック１１に設けられているが、横シャフト９に設けても構わないし、右端、左端のパネル４の全開、全閉位置にブラケットを取り付けそこに取り付けてもよい。
【００１９】
また本実施例１においては設計上ストローク不足に対処するため作動車８を２個用いたが場合によっては更に増加させることもあり、ストロークに不足がなければ通常は１個で済む。実施例１の場合は実際には１個で済む箇所と２個必要になるパネル４があるが部品を統一するため、すべてのパネルに２個の作動車８ａ、８ｂの取り付いた部品を用いた。
【００２０】
次に本発明実施例１の動作を図に基づいて説明すると、今図１に示すように全パネル４が全閉位置にある。開放スイッチ（図示せず）を入れると、駆動モータ軸に取り付けされたピニオン１０が回りはじめ、ラック１１、連結板１２を介して全閉位置に停止していた横シャフト９が次第に右方向に移動し始める。すると、それに伴い各パネル４の開放を規制していた作動車８ａ、８ｂも右移動して左端の第１番目パネル４が開放し始める。更に横シャフトが右移動してゆくにつれて順次所定角度で規制されていたパネル４が順次開放されてゆき、各パネル４はそれぞれ角度を少しずつ変化させながら開放されてゆくため遠くから眺めた場合、濃淡の段階的な色調の推移が全体としてデフォルメを形成して芸術性を帯びて眺めることが出来る。
【００２１】
左端の第１番目パネル４の裏面側の所定位置が全開ストッパー７に当接して初めて左端のパネル４の開放角度を規制していた作動車８ａは第１番目パネル４から離れることになり、それでも更に横シャフト９は右移動するため同じ現象を呈して隣のパネル４が順次全開停止してゆき、右端の第１４番目パネル４が全開して初めて横シャフト９が移動を停止して各パネル４は図２に示すようにすべてが全開位置で停止する格好になる。
【００２２】
次に全開停止位置から閉鎖スイッチ（図示せず）を入れると、横シャフト９が左方向に移動し始め、それに伴って横シャフト９上の作動車８ａ、８ｂも移動し、今度は右端の第１４番目パネル４の裏面側から順に作動車８ａが当接し始めてパネル４は順次閉鎖し始める。作動車８ａ、８ｂのいずれかがパネル４の頂上部の平行な部分を通過する場合はパネル４を全閉位置に留め、左端の第１番目パネルの作動車８ａが全閉の当接位置に達した時全閉検知センサによって停止信号は発されて駆動モータが停止し全閉が完成する。その途中は各パネル４はそれぞれ角度を少しずつ変化させながら閉鎖されてゆくため遠くから眺めた場合、濃淡の段階的な色調の推移が全体としてデフォルメを形成して芸術性を帯びて眺めることが出来る。
【００２３】
次に今度は同じ部品を用いて逆に右端の第１４番目から順に開閉動作を始めるための方法を説明すると、図８に示すように全閉時において第１４番目パネル４の平行な部分の右端（Ｐ位置）に第１４番目の作動車８ａを当接させて基準位置としその隣のパネル４は基準位置から平行な部分に向かって少しずらして作動車８ａの当接部を位置決めし、最終は第１番目パネル４の平行な部分の左端（Ｑ位置）に第１番目の作動車８ｂを当接させその間を順次ずらすように作動車８ａ、８ｂを当接させて設置やれば第１４番目パネルから順に開閉動作が行われることになる。
【００２４】
一般に右回転方向に開放されるようにあらかじめセットされたｎ枚のパネル４を横に並べて最初のパネル４から最後のｎ枚目パネル４まで順次等間隔で開閉させてゆく縦型ルーバー装置を製作するには、まず開閉ストロークが既成された大きさの作動車８が１個で各パネル４の裏面部に設けられた平行な部分の右端から左端まで移動することで不足するか不足しないかを確認し、不足しない場合は１個、不足する場合は２個、それでも不足する場合は３個と増加する。ここでは開閉ストロークが不足しない場合を想定し、作動車８ａ１個で済む場合を説明すると、図９において作動車８ａが１個の場合を想定する。
【００２５】
まず、右端（最後尾）のパネル４から開閉動作を始めるか、左端（先頭）のパネル４から開閉動作を始めるかを決定して基準パネルを決め、それに応じてそのパネル４の裏面部に設けられた、全閉時に平行となる部分の右端部（Ｐ位置）に作動車８ａを当接させて基準位置とし、隣のパネル４は基準位置から平行となる部分の方向に当接部をずらして作動車８ａをセットしてゆけばよい。最初の基準位置は右端で最後は左端のなるため、ずらす距離は平行な部分の距離Ｂのｎ分の１ずつずらしてゆけばよいことになる。したがってＸ番目のパネル４の作動車８ａの当接位置は基準位置から平行となる部分の方向にｎ分のＸだけ離れた距離となる。図１０に示すようにこのことは対称形形でないパネルについても同様の結果が得られる。
【実施例２】
【００２６】
実施例２は実施例１の１４スパンを有するガラスウォール内に１４ユニットの半透明ポリカーポネート製縦型ルーバーユニットのパネル４を設けた縦型ルーバー装置１で、図１６に示すように７スパンを１ブロックとして開閉パターンを構成したしたものであり、７スパンずつ２ブロックに同じ構成の開閉パターンが設けられてなるものである。これは各ブロック最初の縦型ルーバーユニットの平行になる部分の端部と当該作動車とが当接する位置を基準位置として、その隣の縦型ルーバーユニットの作動車は前記した基準位置から平行になる部分に沿って順次ずらされて当接するように位置決め設置することによって作ることが出来、位置決め方法は実施例１で詳細に説明してあるため説明を省略し、動作もまた１ブロックづつにおいては実施例１と同じであるため説明を省略する。
【実施例３】
【００２７】
実施例３は全閉時においてパネル４の裏面部にガラスウォールと平行な部分がない場合のものである。図１１は横断面が円弧形状をなし、全閉時に裏面側に平行となる部分がない縦型ルーバーユニットのパネル４である。この場合は図１１に示すようにパネル４の裏面部下と作動車８ａとの間に、平行部分を有する帯状の補助具１５をパネル４の裏面部に取り付け固定させれば良い。この場合の注意点は図中白抜き矢印で示すように作動車８ａと接触する側の端部は作動車８ａの移動に際し連続性を帯びる（鈍角にする）ようにすることが必要である。平行部を持ったパネル４の調整要領については実施例１と同様であり、またその動作についても実施例１と同様であるため説明を省略する。
【実施例４】
【００２８】
なお、縦型ルーバー装置としては、図１２〜図１５に示すように実施例１のパネル４の内部ガラスウォール３の縦枠に、縦列にＬＥＤ照明が設けられた縦長のＬＥＤユニットフレーム１６を設け、そこから縦型ルーバーユニットのパネル４側に向かってＬＥＤ照明器具を点灯させた上、縦型ルーバー装置を作動させて外部側からその様子を楽しんで観賞してもらうように構成したものであってもよい（実施例４）。また、夜間にライトアップされて開閉される場合にはその光と影がいっそう引き立つものになる。動作については実施例１と同様であるため説明を省略する。
【００２９】
本発明の縦型ルーバー装置はまた、全く同じ構成でもって、縦のものを横にすることで全く同様に横型ルーバー装置としても用いることが可能である。
【符号の説明】
【００３０】
１、縦型ルーバー装置
２、外部ガラスウォール  
３、内部ガラスウォール
４、縦型ルーバーユニットのパネル
５、回動軸
６、開放用オートヒンジ
７、全開ストッパー
８、作動車
９、横シャフト
１０、ピニオン
１１、ラック
１２、連結板
１３、シャフトガイド
１４、ブラケット
１５、補助具
１６、ＬＥＤユニットフレーム
【図１】
0005624316.tif 000002
【図２】
0005624316.tif 000003
【図３】
0005624316.tif 000004
【図４】
0005624316.tif 000005
【図５】
0005624316.tif 000006
【図６】
0005624316.tif 000007
【図７】
0005624316.tif 000008
【図８】
0005624316.tif 000009
【図９】
0005624316.tif 000010
【図１０】
0005624316.tif 000011
【図１１】
0005624316.tif 000012
【図１２】
0005624316.tif 000013
【図１３】
0005624316.tif 000014
【図１４】
0005624316.tif 000015
【図１５】
0005624316.tif 000016
【図１６】
0005624316.tif 000017